(57)【要約】  【課題】プロセッサの負荷をかけることなくオクルージョン処理を行うことのできる画像表示装置を提供する。  【解決手段】オクルージョン範囲ＯＡを確定する対角２点Ａ（ＸＡ，ＹＡ）、Ｂ（ＸＢ，ＹＢ）の位置情報がロードされる一時記憶部１２ａ、１２ｂ、１２ｃ、１２ｄと、この一時記憶部１２ａ、１２ｂ、１２ｃ、１２ｄにロードされる値を基準値として入力するとともに優先度の低い劣性表示シンボルＲＳの各描画点の位置情報の値Ｘ、Ｙを比較値として逐次入力することにより劣性表示シンボルＲＳの描画点が優性表示シンボルＤＳの表示範囲ＯＡに属するか否かを比較して逐次対応した属否信号を出力する比較器１３ａ、１３ｂ、１３ｃ、１３ｄとを具備し、この比較器１３ａ、１３ｂ、１３ｃ、１３ｄから出力される属否信号ｃに基づいて輝度信号Ｚを制御するオクルージョン処理装置１を具備する。  【選択図】図３
2005070547.tif 000002
【特許請求の範囲】
【請求項１】
表示シンボル間で優劣をつけて表示器上にそれらの表示シンボルを表示する際に適用されるものであって、
対比される２つの表示シンボルのうち優先度の高い優性表示シンボルの表示範囲が２つの範囲特定情報としてロードされる一時記憶部と、
この一時記憶部にロードされる範囲特定情報の値を基準値として入力するとともに優先度の低い劣性表示シンボルの各描画点の位置情報の値を比較値として逐次入力することにより劣性表示シンボルの描画点が優性表示シンボルの表示範囲に属するか否かを比較して逐次対応した属否信号を出力する比較器とを具備し、
この比較器から出力される属否信号に基づいて各位置情報に対応した描画信号を制御するオクルージョン処理装置を具備することを特徴とする画像表示装置。
【発明の詳細な説明】
【技術分野】
【０００１】
本発明は、ヘッドアップディスプレイ等の画像表示装置に関するものである。
【背景技術】
【０００２】
従来より画像表示装置において、画面上の表示シンボル同士が重なった時に優先度が低いシンボルの表示を行わないようにする、いわゆるオクルージョン処理が行われているものがある（例えば、特許文献１参照）。このようなオクルージョン処理は、優先度が高いシンボルと優先順位が低いシンボルとの交点をプロセッサの計算により求めること等により行われている。
【特許文献１】特開２００１−０５２１４６号公報
【発明の開示】
【発明が解決しようとする課題】
【０００３】
しかしながら、オクルージョン処理をプロセッサの計算により行う場合は、一般に処理が複雑で計算時間が長くなるためにプロセッサの負荷が大きくなる。そのため、他の計算処理が必要時間内に行えなくなる場合があり、リアルタイムでの画像表示が行えなくなってしまう場合がある。
【０００４】
本発明は、このような不具合を解消することに着目したものであり、本発明の目的とするところは、プロセッサに負荷をかけることなくオクルージョン処理を行うことのできる画像表示装置を提供することにある。
【課題を解決するための手段】
【０００５】
上記課題を解決するためになされた本発明に係る画像表示装置は、表示シンボル間で優劣をつけて表示器上にそれらの表示シンボルを表示する際に適用されるものであって、対比される２つの表示シンボルのうち優先度の高い優性表示シンボルの表示範囲が２つの範囲特定情報としてロードされる一時記憶部と、この一時記憶部にロードされる値を基準値として入力するとともに優先度の低い劣性表示シンボルの各描画点の位置情報の値を比較値として逐次入力することにより劣性表示シンボルの描画点が優性表示シンボルの表示範囲に属するか否かを比較して逐次対応した属否信号を出力する比較器とを具備し、この比較器から出力される属否信号に基づいて各位置情報に対応した描画信号を制御するオクルージョン処理装置を具備することを特徴とする。
【０００６】
このようなものであれば、プロセッサに大きく負荷をかけていたオクルージョン処理を、オクルージョン処理装置が代わって行うようになるため、画像を表示する際のプロセッサの処理負荷を大幅に低減することができるとともに、プロセッサを他の演算処理に充てることができるため、結果としてプロセッサの処理速度を高速化させることができる。また、本発明のオクルージョン処理は、２つの範囲特定情報で特定される表示範囲に描画点が属するか否かを判断するものであって、描画点同士を対比して交点を割り出す従来処理に比べて処理内容が格段に簡易で処理量も激減するため、オクルージョン処理装置をレジスタや比較器といった単純な論理回路を用いたハードウェアで構成でき、高速な処理が可能である。そのため、プロセッサの処理能力に依存せずにリアルタイムにオクルージョン処理を行うことができるようになる。
【発明の効果】
【０００７】
本発明によれば、簡単な構成からなるハードウェアであるオクルージョン処理装置を用いてリアルタイムにオクルージョン処理を行うことにより、プロセッサの処理負荷を大幅に軽減することができる。
【発明を実施するための最良の形態】
【０００８】
以下、本発明の一実施の形態について図面を参照して説明する。
【０００９】
本実施形態に係る画像表示装置たるヘッドアップディスプレイＨは、図１のように優先度の高い優性表示シンボルＤＳの位置と、優先度の低い劣性表示シンボルＲＳの位置とが重なる場合に、破線で囲った矩形状の優性表示シンボルＤＳの表示範囲ＯＡと劣性表示シンボルＲＳの表示とが重なる部分に該当する劣性表示シンボルＲＳの表示を遮断する、所謂オクルージョン処理を行うものである。本実施形態において優性表示シンボルＤＳの表示範囲ＯＡを確定する２つの範囲特定情報として２点Ａ（ＸＡ，ＹＡ）、Ｂ（ＸＢ，ＹＢ）を設定し、優性表示シンボルＤＳの表示範囲ＯＡの形状を２点Ａ、Ｂを対角線とする矩形に設定している。この２点Ａ、Ｂの位置は優性表示シンボルＤＳの表示位置・形状をもとに、優性表示シンボルＤＳを内包可能で且つ矩形がほぼ最小限の面積となるよう適宜設定されるものである。
【００１０】
本実施形態に係るヘッドアップディスプレイＨは図２に示すように、プロセッサＰ、シンボル生成装置Ｓ、表示器Ｄ及びオクルージョン処理装置１からなるとともに、オクルージョン処理装置１はオクルージョン処理回路１０及び遮断手段１１により構成されている。
【００１１】
プロセッサＰは、優性表示シンボルＤＳの表示範囲ＯＡに係る２点Ａ、Ｂの位置を上述のように適宜設定し、そのデータＸＡ、ＸＢ、ＹＡ、ＹＢをオクルージョン処理回路１０へ出力する。また、本実施形態においてプロセッサＰは、優性表示シンボルＤＳに係る輝度信号ｄｓを表示器Ｄへ出力することにより優性表示シンボルＤＳを描画している。
【００１２】
シンボル生成装置ＳはプロセッサＰの指示により１又は複数のシンボルを生成し、そのシンボルの描画点に係る輝度信号Ｚを本発明に係る描画信号Ｚとして遮断装置１１を介して表示器Ｄへ出力するとともに、それに同期して、前記描画点の位置情報たる座標データＸ、Ｙと、前記描画点が優性表示シンボルＤＳに属するか劣性表示シンボルＲＳに属するかを識別するための識別信号ｉとをオクルージョン処理回路１０へ出力するハードウェアである。シンボル生成装置Ｓからの輝度信号Ｚは、「光る」場合にはＬＯ、「光らない」場合はＨＩとして遮断手段１１へ出力される。また、識別信号ｉは、生成するシンボルが劣性表示シンボルＲＳである場合はＨＩ、それ以外の場合はＬＯを出力するよう設定されている。本実施形態においてシンボル生成装置Ｓは劣性表示シンボルＲＳのみを生成している。そのため、識別信号ｉは常にＨＩを出力している。
【００１３】
遮断手段１１はＯＲ回路により構成されている。つまり、シンボル生成装置Ｓからの輝度信号Ｚ及びオクルージョン処理回路１０のどちらか一方からＨＩが入力されると、その論理和がＨＩとなるため、輝度信号Ｚが「光る」（ＬＯ）であっても輝度信号Ｚを遮断する。また、オクルージョン処理回路１０がＬＯを出力するとともに輝度信号Ｚが「光る」（ＬＯ）場合のみ、遮断手段１１は、その論理和としてＬＯを出力して輝度信号Ｚを表示器Ｄへ出力する。
【００１４】
ここで、オクルージョン処理回路１０について図３を用いて詳述すると、オクルージョン処理回路１０はその入力側に位置する一時記憶部１２ａ、１２ｂ、１２ｃ、１２ｄが比較器１３ａ、１３ｂ、１３ｃ、１３ｄにそれぞれ接続されるとともに、比較器１３ａ、１３ｂ、１３ｃ、１３ｄ及び識別信号ｉがＡＮＤ回路１４に接続されることにより構成されている。
【００１５】
一時記憶部１２ａ、１２ｂ、１２ｃ、１２ｄには優性表示シンボルＤＳの表示範囲ＯＡを確定する２つの範囲特定情報として前記２点Ａ、Ｂ（図１）の座標データであるデータＸＡ、ＸＢ、ＹＡ、ＹＢがそれぞれロードされる所謂レジスタである。勿論、２点Ａ、Ｂの位置は優性表示シンボルＤＳの変形・移動に応じてプロセッサＰが決定するため、それに応じてデータＸＡ、ＸＢ、ＹＡ、ＹＢの値は更新されることとなる。
【００１６】
比較器１３ａ、１３ｂ、１３ｃ、１３ｄは、データＸＡ、ＸＢ、ＹＡ、ＹＢが基準値として入力されるとともに描画点の位置情報である座標データＸ、Ｙが比較値として入力されると、予め設定されたそれぞれの演算式ＸＡ＜Ｘ、Ｘ＜ＸＢ、ＹＡ＜Ｙ、Ｙ＜ＹＢに比較値が該当するか否かの演算を行い、比較値が演算式に該当した場合にはＨＩを、該当しなかった場合にはＬＯを、本発明に係る属否信号ｃとしてそれぞれ出力する。
【００１７】
ＡＮＤ回路１４は比較器１３ａ、１３ｂ、１３ｃ、１３ｄが出力する属否信号ｃ及び識別信号ｉの出力が全てＨＩであった場合、つまり前記出力の論理積がＨＩであった場合に遮断手段１１へＨＩを出力する。
【００１８】
このような本実施形態に係るヘッドアップディスプレイＨにおいて、シンボル生成装置Ｓが劣性表示シンボルＲＳを表示すると、前述の通り識別信号ｉがＨＩとなる。加えて、劣性表示シンボルＲＳの描画点である座標データＸ、Ｙが優性表示シンボルＤＳの表示範囲ＯＡに属するものである場合は、比較器１３ａ、１３ｂ、１３ｃ、１３ｄが出力する属否信号ｃが全てＨＩとなる。そのため、ＡＮＤ回路１４に入力される信号の論理積がＨＩとなり、ＡＮＤ回路１４はＨＩを出力する。ここで、遮断装置１１はＯＲ回路であるため、ＡＮＤ回路１４からＨＩが入力されると出力はＨＩとなり、輝度信号ＺはＨＩ、ＬＯに関わらず遮断される。
【００１９】
また、劣性表示シンボルＲＳの描画点が優性表示シンボルＤＳの表示範囲ＯＡに含まれない場合は、比較器１３ａ、１３ｂ、１３ｃ、１３ｄが出力する属否信号ｃの何れかがＬＯとなるため、ＡＮＤ回路１４はそれらの論理積としてＬＯを出力する。併せて、シンボル生成装置Ｓが出力する輝度信号ＺがＬＯ「光る」を出力すれば、遮断手段１１における論理和がＬＯとなるため、劣性表示シンボルＲＳに係る輝度信号Ｚは表示器Ｄへ出力され、表示される。
【００２０】
以上に記した構成とすることにより、従来においてプロセッサＰに大きく負荷をかけていたオクルージョン処理を、専用のハードウェアであるオクルージョン処理装置１が行うことができるようになる。
【００２１】
このようなものであれば、画像を表示する際のプロセッサＰの処理負荷を大幅に低減することができるとともに、プロセッサＰが他の演算処理に重点を置くことができるようになる。その結果として、プロセッサＰの処理が高速化することとなり、ヘッドアップディスプレイＨ全体としてのパフォーマンスを大幅に向上させることができる。
【００２２】
また、本実施形態に係るオクルージョン処理は、２つの範囲特定情報である２点Ａ、Ｂで特定される優性表示シンボルＤＳの表示範囲ＯＡに位置情報たる座標データＸ、Ｙに係る描画点が属するか否かを判断するものであって、描画点同士を対比して交点を割り出す従来処理に比べて処理内容が格段に簡易で処理量も激減するため、オクルージョン処理装置１をＡＮＤ回路１４、レジスタ（一時記憶部）１２ａ、１２ｂ、１２ｃ、１２ｄ及び比較器１３ａ、１３ｂ、１３ｃ、１３ｄ、ＯＲ回路（遮断手段１１）といった単純な論理回路により構成でき、高速な処理が可能である。そのため、プロセッサＰの処理能力に依存せずにオクルージョン処理をリアルタイムに行うことが十分可能である。
【００２３】
なお、本発明は、以上に詳述した実施形態に限られるものではない。
【００２４】
本発明はヘッドアップディスプレイＨに限定されるものではなく、画像表示装置であれば用いることができ、特に、ストローク方式の画像表示装置であれば好適に用いることができる。
【００２５】
上記実施形態において、シンボル生成装置Ｓは優性表示シンボルＤＳを表示することも可能である。その場合には当該シンボルを表示する際の識別信号ｉをＬＯとすれば良い。そうすることによりＡＮＤ回路１４の論理積がＬＯとなり、併せて輝度信号ＺがＬＯ（光る）を出力すれば当該シンボルに係る輝度信号Ｚが遮断手段１１から表示装置Ｄへ出力される。
【００２６】
識別信号ｉは上記実施形態においてシンボル生成装置Ｓから出力されるものとしていたが、プロセッサＰから識別信号ｉが出力されるものであっても良い。
【００２７】
上記実施形態では範囲特定情報として優性表示シンボルＤＳの表示範囲ＯＡを２点Ａ、Ｂを対角線とする矩形に設定したが、オクルージョン処理回路１０の回路構成を適宜変更することにより他の形状に設定したものであってもよい。例えば、２つの範囲特定情報として、１点の座標と、その座標からの距離に関するデータを設定し、その座標を中心とする円形や菱形とする設定としたものであっても良い。
【００２８】
さらに、上記実施形態において、遮断手段１１は輝度信号Ｚの出力を遮断するものとしていたが、例えば遮断手段１１の代わりに、輝度信号Ｚの表示を半透明にしたり変色させる処理を行うなど、輝度信号Ｚを適宜制御する制御回路を用いたものであっても本発明の技術的範囲に属するものである。
【００２９】
その他、各部の具体的構成についても上記実施形態に限られるものではなく、本発明の趣旨を逸脱しない範囲で種々変形が可能である。例えば、上記実施形態では２つのシンボルにおけるオクルージョン処理を行うオクルージョン処理装置１について説明したが、本発明によれば、優性・劣性関係が設定された３つ以上のシンボルに対してオクルージョン処理を行うことも可能である。その場合には、それぞれのオクルージョン領域を記憶した複数のオクルージョン処理回路を遮断手段に対して並列に配置するとともに、オクルージョン処理回路に入力される識別信号はそれぞれのオクルージョン処理回路が記憶したオクルージョン領域に係るシンボルに対して劣性であればＨＩを入力する構成とすればよい。
【図面の簡単な説明】
【００３０】
【図１】本発明の一実施形態に係るヘッドアップディスプレイの表示画面を模式的に示した図。
【図２】同実施形態に係るヘッドアップディスプレイを示すブロック図。
【図３】同実施形態に係るオクルージョン処理回路を示す模式図。
【符号の説明】
【００３１】
１  …オクルージョン処理装置
１０…オクルージョン処理回路
１１…遮断手段
１２ａ、１２ｂ、１２ｃ、１２ｄ…一時記憶部
１３ａ、１３ｂ、１３ｃ、１３ｄ…比較器
Ｈ  …画像表示装置（ヘッドアップディスプレイ）
Ｄ  …表示器
ＤＳ…優性表示シンボル
ＲＳ…劣性表示シンボル
ＯＡ…優性表示シンボルの表示範囲
Ｚ  …描画信号（輝度信号）
【図１】
2005070547.tif 000003
【図２】
2005070547.tif 000004
【図３】
2005070547.tif 000005